(57)【要約】【課題】ハイパーリンクを含んだ文字情報と共に動画を流す「テキスト情報付き動画データ」を、従来の手法よりも少ない工程及び簡単な手順で作成し、再生端末に配信するための統合されたシステムを実現する。【解決手段】「テキスト情報付き動画データ」の作成用アプリケーションが稼働するクライアントＰＣ１と、配信情報を管理するコンテンツマネージメントサーバー群２〜４との連携で「テキスト情報付き動画データ」の作成から配信までの手順を一元化する。作成用アプリケーションは、映像の収録、文字情報の入力、送信情報の入力、データ変換、生成された動画データファイル、テキスト情報ファイル、配信情報のコンテンツマネージメントサーバー２への送信、を連続して行う。コンテンツマネージメントサーバー２はメール配信サーバー３に対して、メッセージのリンクが掲載されたメールを送信情報に従って再生端末へ送信することを指示する。【選択図】図１
2007006429.tif 000002
【特許請求の範囲】
【請求項１】
（１）動画データ用の映像の撮影、（２）映像のデジタイズ、（３）映像データのエンコード（映像データのフォーマット変換）、（４）映像と共に表示するために送出するハイパーリンクデータ付き文字情報の入力及び埋め込み、（５）テキスト情報付き動画データダウンロード及び再生ができる動画データ取得用Ｗｅｂページ生成、（６）その動画データ取得用Ｗｅｂページへの誘導を行うメール送信もしくは動画データの送信までを簡便にかつ自動的に実行できるように、前記（１）から（６）の少なくとも一部の機能が統合されている事を特徴とするハイパーリンク文字情報付き動画データ収録配信システム。
【請求項２】
動画映像に文字情報を付帯させる際に、文字情報とハイパーリンク情報を文字情報配信サーバーから取得して付加する事を特徴とするハイパーリンク「文字情報付き動画データ」収録配信システム。
【請求項３】
動画映像に付帯する文字情報を広告として利用する事を特徴とするハイパーリンク文字情報付き動画データ収録配信システム。
【請求項４】
動画データのダウンロードを促すＷｅｂページでログ管理プログラムを起動して閲覧ログ記録を行う事を特徴とするハイパーリンク文字情報付き動画データ収録配信システム。
【発明の詳細な説明】
【技術分野】  本発明は携帯電話・個人情報端末やＰＣ等に動画データにマルチメディアデータを付帯させて再生するためのデータの関連付けと再生方法に関する。
【背景技術】
【０００１】  現在では、複数の携帯電話キャリアが独自の動画フォーマットを採用している。そのために、それぞれの携帯電話向けに動画データを収録配信するためには、複数のフォーマットに動画データを変換する必要がある。【０００２】  昨今携帯電話も動画を再生できるような機能が採用されて動画閲覧も一般的になりつつある。また、携帯電話に付属しているカメラ機能等で撮影した映像をメール等の手段で相手に送る機能も携帯電話機の標準機能として採用されることも多くなってきた。【０００３】  動画データを撮影するためのアプリケーションソフトウェア、携帯電話やＰＣが再生できる動画フォーマットにデータ変換をするためのアプリケーションソフトウェア、配信サーバーに動画データファイルを転送するためのアプリケーションソフトウェア、動画データを送信するためのアプリケーションソフトウェアは別個に存在し統合された状況に無いために、非常に手間のかかる工程を踏まなければならないのが現状である。
【発明の開示】
【発明が解決しようとする課題】
【０００４】  現在における携帯電話向けの動画メール等の問題点は、（１）大量の配布先に商業的に送る機能が無い、（２）同じ携帯電話キャリア同士でのコミュニケーションに限定されている、（３）送信の記録を長期間保存できない、（４）閲覧ログを取得できない、（５）映像撮影から配信までの工程が長く作業時間が長くかかる、（６）動画メールに広告を入れることができない等が挙げられる。
【課題を解決するための手段】
【０００５】  本発明は、ＰＣで稼働する「テキスト情報付き動画データ」作成アプリケーションと配信情報を管理するコンテンツマネージメント機能を備えたサーバー群との連携により、上記従来の課題を解決するものである。【０００６】  上記課題（１）の解決手段：コンテンツマネージメント機能によりメーリングリストを管理できる。さらに、この機能により配布先の管理をダイナミックに実施することができ、送信する配布先の選択ができるなどのきめ細やかな対応を施す事が可能となる。また、宛先リストを複数用意する事によって、配信先をメッセージ毎に切り替えることが可能となる。【０００７】  上記課題（２）の解決手段：「テキスト情報付き動画データ」作成アプリケーションには各キャリア対応のデータフォーマットのプロファイルが保存されており、対応の動画データのフォーマットが増えても変換を追加することが可能になっている。【０００８】  上記課題（３）の解決手段：コンテンツマネージメント機能により、（ａ）いつ、（ｂ）誰宛に（ｃ）どの動画データを送ったか、（ｄ）その時の付帯情報は何か、という情報が保存され、後から検索閲覧することが可能となっている。【０００９】  上記課題（４）の解決手段：閲覧者のページアクセス状況／動画データ再生の状況は全てコンテンツマネージメント機能で記録されており、閲覧に関するログを取得することが可能となっている。【００１０】  上記課題（５）の解決手段：（１）動画データ用の映像の撮影、（２）映像のデジタイズ、（３）映像データのエンコード（映像データのフォーマット変換）、（４）映像と共に表示するために送出するハイパーリンクデータ付き文字情報の入力及び埋め込み、（５）テキスト情報付き動画データダウンロード及び再生ができる動画データ取得用Ｗｅｂページ生成、（６）その動画データ取得用Ｗｅｂページへの誘導を行うメール送信までを簡便にかつ自動的に実行できるように統合したシステムとした。【００１１】  上記課題（６）の解決手段：動画データと同時に表示するテキスト情報エリアに広告のテキスト情報を記述して、さらにハイパーリンク情報も添付することが可能となっている。
【発明の効果】
【００１２】  本発明により、携帯電話や個人情報端末、ひいてはＰＣなどを対象とした動画データを簡単に配信する事が可能となり、ひいては配信先の管理や、閲覧ログの管理なども容易に実現する事が可能となる。（１）大量の配布先に商業的に送ることが可能となった、（２）違う携帯電話キャリアでのコミュニケーションが可能となった、（３）送信の記録を長期間保存できるようになった、（４）閲覧ログを取得できるようになった、（５）映像撮影から配信までの工程を統合したために操作が簡単になった、（６）動画データに広告を入れることができるようになった、という効果をもたらした。
【発明を実施するための最良の形態】
【００１３】［システム構成：］図１には本発明を実現するためのシステム構成が描かれている。カメラとマイクが接続され、「テキスト情報付き動画データ」作成アプリケーションが実行される作成用クライアントＰＣ端末１、配信情報を管理するコンテンツマネージメントサーバー２、メール送信用のメール送信サーバー３、文字情報データ配信サーバー（広告配信サーバー等として利用する）４、ビデオメッセージを再生するためのクライアント携帯電話５、個人情報端末等６、または再生用のクライアントＰＣ端末７から構成される。（再生用の端末の数は、使用形態により図とは異なる場合がある。）【００１４】［テキスト情報付き動画データ：］図２には、本発明によって生成される「テキスト情報付き動画データ３」の概略が描かれている。再生端末の画面上には映像１と共に文字情報２が表示される。文字情報２にはハイパーリンク情報が埋め込まれており、クリックアクションなどによりそのハイパーリンクへのアクセスを促し、そのリンク先ページを表示することで動画データ以外の情報の配信を可能とする。【００１５】［作成用クライアントＰＣ］作成用クライアントＰＣ１では、「テキスト情報付き動画データ」作成アプリケーションが実行される。「テキスト情報付き動画データ」作成アプリケーションは以下の動作全てまたは一部を連続的に行う。（ａ）映像撮影または映像ファイルの取り込み、（ｂ）文字情報入力、（ｃ）文字情報に付帯するハイパーリンク情報入力、（ｄ）文字情報付き動画データの配信先情報入力、（ｅ）配信時に一緒に送るメール件名と本文の入力、（ｆ）動画データと文字情報の統合圧縮変換による文字情報付き動画データの生成、（ｇ）文字情報付き動画データのサーバーへの配信。どの携帯電話・個人情報端末などに配信されるかという計画に従い、あらかじめ用意されている動画データ変換用プロファイルを用いる。【００１６】［文字情報とハイパーリンク情報］動画データに付帯する情報として、収録時に作成用アプリケーション内で文字情報を指定することが可能であり、さらにハイパーリンク情報を付帯させること可能となっている。一方、広告目的などでサービス提供者より提供される情報を文字情報エリアに表示する場合は、サーバーを参照して文字情報・ハイパーリンク情報を生成することも可能である。文字情報とハイパーリンク情報がダイナミックに変更できることから、この文字情報エリアを広告エリアとして使用することが可能となる。【００１７】［動画データと圧縮変換］撮影収録と、文字情報・ハイパーリンク情報を自動的に統合して動画データファイルの圧縮変換を実行することで、文字情報付き動画データを生成する。想定される再生環境に応じて準備された再生環境別の変換プリセットを用いて変換を実行することにより、様々な再生環境に対応した文字情報付き動画データを生成する事が可能となっている。【００１８】［コンテンツマネージメント機能］コンテンツマネージメントサーバー２で提供されるコンテンツマネージメント機能で管理されているデータは、（ａ）収録を実行できるユーザー情報管理（認証の為のＩＤ等も含む）及び認証、（ｂ）収録配信回数管理（課金などの為に）、（ｃ）文字情報付き動画データデータ管理、（ｄ）配信実行ログ管理、（ｅ）配信メッセージ閲覧ログ管理、（ｆ）文字情報付き動画データ配信先情報管理、等がある。配信先の管理は、（１）配信先名、（２）配信先名に関するコメント解説、（３）配信先のＥメールアドレス、（４）配信時間の指定、（５）配信メールサーバー３の情報、等を管理している。【００１９】［配信機能］収録クライアントＰＣ１で稼働する「テキスト情報付き動画データ」作成アプリケーションは、コンテンツマネージメントサーバー２に対して、文字情報付き動画データデータと、配信先の情報、配信時に一緒に送るメールデータなどを送信する。メール送信サーバー３は、配信先情報に従って動画データをダウンロードして閲覧するためのＵＲＬ情報をメールにして配信先に配送する。この際に、メール送信サーバー３はコンテンツマネージメントサーバー２と協調してメールの配信時間をスケジューリングすることが可能になっている。【００２０】［閲覧とアクセスログ］動画データのダウンロードを促すＷｅｂページＵＲＬ情報をメールに表記して配信するため、閲覧者が動画データを閲覧するためには先ずこのＷｅｂページをアクセスすることになる。ここで表示されるデータは、収録配信の実行者（サービス提供社）に関する情報であり、このページのアクセス状況を調査することで閲覧に関するログデータを取得するものである。このため、動画データが、いつ、誰が、どの再生環境で閲覧したかというデータを取得することが可能となる。
【図面の簡単な説明】
【００２１】
【図１】本発明で実現する統合化されたシステム構成図。
【図２】本発明で生成する「文字付き動画データ」を示した図。
【符号の説明】
【００２２】１  テキスト情報付き動画メッセージ作成クライアントＰＣ
２  コンテンツマネージメントサーバー群
３  メール送信サーバー
４  文字情報広告配信サーバー
５  携帯電話端末
６  情報端末
７  ＰＣ端末
【図１】
2007006429.tif 000003
【図２】
2007006429.tif 000004